(57)【要約】【課題】スポンジやタワシといった食器洗い具および洗剤容器を含めた小物類を、キッチンのシンク内での食器洗い作業の能率を低下することなく、効率よく、かつ、水切りし易い状態で収納する。【解決手段】上段の棚をプレート２４で形成し、下段の棚を、プレート２４の下方に吊り下げたラック２６で形成し、プレート２４との間で形成されるラック２６の前面開放部２７を通して食器洗い具２８、３０をラック２６から出し入れして収納する。プレート２４の下面で、かつ、ラック２６に隣接する部位に、食器洗い具２８、３０を懸垂するフック手段２９を取り付ける。プレート２４を、光透過性を有する合成樹脂材で形成する。ラック２６を索状部材によりカゴ枠体で形成し、該索状部材の一部を、プレート２４下面においてプレート２４の長手方向に添接させ、かつ、この添接部２６ｃに上下に蛇行する曲げ部２６ｅを設ける。【選択図】図３
2009011394.tif 000002
【特許請求の範囲】
【請求項１】
シンクの側壁に添って設置される小物類の収納装置において、
プレートで形成した上段の棚と、
前記プレートの下方に配置したラックで形成した下段の棚とを備え、
前記下段の棚は、前記プレートと前記ラックとの間で形成される前面開放部を通して食器洗い具を前記ラックから出し入れして収納することを特徴とする小物類の収納装置。
【請求項２】
前記プレートの下面で、かつ、前記ラックに隣接する部位に、前記食器洗い具を懸垂するフック手段を取り付けたことを特徴とする請求項１記載の小物類の収納装置。
【請求項３】
前記プレートを、ステンレス鋼、または光透過性を有する合成樹脂材で形成したことを特徴とする請求項１または２記載の小物類の収納装置。
【請求項４】
前記ラックを索状部材によりカゴ枠体で形成し、該索状部材の一部を、前記プレート下面においてプレートの長手方向に添接させ、かつ、この添接させた部分に上下に蛇行する曲げ部を設けたことを特徴とする請求項１〜３のいずれか一項に記載の小物類の収納装置。
【請求項５】
前記フック手段を、少なくとも２個以上のフック部を有する索状部材で形成したことを特徴とする請求項１〜４のいずれか一項に記載の小物類の収納装置。
【請求項６】
前記フック手段の前記索状部材の一部を、前記プレート下面においてプレートの長手方向に添接させ、かつ、この添接させた部分に上下に蛇行する曲げ部を設けたことを特徴とする請求項５に記載の小物類の収納装置。
【発明の詳細な説明】
【技術分野】
【０００１】
本発明は、食器洗剤およびスポンジやタワシなどの食器洗い具やゴミ袋などの小物類をを収納する収納装置に関する。
【背景技術】
【０００２】
キッチンのシンクで食器を洗う作業は、洗剤（以下場合によっては「洗剤容器」ともいう）を取り出してスポンジやタワシ（以下、これらを「食器洗い具」ともいう）に滴下して食器を洗うが、食器を洗わない場合には、食器洗い具および洗剤容器を、シンク内壁に取り付けたラックに収納するようにしている。またシンクには三角コーナーやコーナーポットなどを用いて、炊事中に生じた生ゴミなどを捨てておくゴミ袋が設置される場合がある。これらのシンク周りの小物類はいずれも濡れたままで載置されるため、滴る水が自然に流れるようにシンクの内側に載置されることである。
【０００３】
従来、この小物類の収納装置として、特許文献１〜３に記載の技術が知られている。すなわち、特許文献１および特許文献２に記載の技術は、シンク内壁面の凹所に針金で形成したカゴ（籠）状のラックを設け、これに小物類を上方から出し入れすることで収納するようにしている。また、特許文献３に記載の技術は、上下二段に水切り処理を施したプレートを配した構造を有し、上段のプレートの半分を着脱自在に分離する着脱棚として形成している。着脱棚を取り外すことで、ポケットとして形成し、これに背の高い洗剤容器を収納できるようにする一方で、下段のプレートには、スポンジといった食器洗い具が収納できるようにしている。
【特許文献１】特開２００６−１５８４１４号公報
【特許文献２】特開２００６−３４６２１４号公報
【特許文献３】特開平５−７９０７５号公報
【発明の開示】
【発明が解決しようとする課題】
【０００４】
しかしながら、上記の特許文献１および特許文献２に記載の技術にあっては、ラックがカゴ状に形成されているため、食器洗い具の水切り性能は良いが、食器洗い具の出し入れ作業を上方から行わなければならない。このため、食器類を落下して破損させないように、シンクの底面に限りなく寄せて食器洗いを行っていた視線を、出し入れの都度ラックに視線を転換しなければならず、必ずしも使い勝手がよいとは言えなかった。
【０００５】
また、ラックには洗剤や食器洗い具といった小物類が雑然と収納され、しかも、スポンジやタワシがラックを通して視認されるため、キッチンのシンク周りの見栄えを悪くする問題がある。さらに、上記の特許文献３に記載の技術では、ラックにおける下段のプレートにはその前面（食器洗い作業する人に対面する側の面）からスポンジなどを出し入れして収納することができるものの、着脱棚を取り外して洗剤容器を収納した場合には、その分だけ上段のプレートおよび下段のプレートに食器洗い具を収納するスペースが狭められ、また、下段のプレートに収納される食器洗い具は、タワシやスポンジなどが混然として収納されるため、シンク周りの機能美を低下してしまう問題がある。
【０００６】
本発明は、上記課題に鑑みて創出されたものであり、スポンジやタワシ、ゴミ袋といった食器洗い具および洗剤容器を含めた小物類を、キッチンのシンク内での食器洗い作業の能率を低下することなく、効率よく、かつ、水切りし易い状態で収納すると共に、キッチンのシンク回り、ひいてはキッチン全体として外観体裁や機能美を損ねることのない小物類の収納装置を提供することを目的とする。
【課題を解決するための手段】
【０００７】
本発明は、上記目的を達成するために、小物類の収納装置に係り、シンクの側壁に添って設置される小物類の収納装置において、プレートで形成した上段の棚と、プレートの下方に配置したラックで形成した下段の棚とを備え、下段の棚は、プレートとラックとの間で形成されるラックの前面開放部を通して食器洗い具をラックから出し入れして収納することを特徴とする。
【０００８】
係る構成では、小物類の収納装置の下段の棚であるラックに収納されたスポンジやタワシといった食器洗い具を、その前面開放部から取出して、例えば、上段の棚であるプレートに載置した背の高い洗剤容器を手に取り、その洗剤溶液を食器洗い具に滴下する。これにより、皿、茶碗、箸、ナイフ、フォークなどの食器に付着した油脂分などの汚れを洗い落とす。食器洗いの役目を終えた食器洗い具は、前面開放部を通して元のラックへ収納する。このように、ラックの吊り下げ位置はシンク底面から近い高さに前面開放部が形成されるため、食器洗い具の出し入れを行う手の動きは、上下ではなく、ほぼシンク底面に沿う方向（水平方向）であり、食器洗い動作は楽なものとなる。
【０００９】
しかも、係る手の動作により、視線を終始食器に落としたまま食器洗いを集中して行え、食器を手から落としたり、食器同士を当てたりすることを抑制できるので、食器の破損、損傷を回避できるようになる。
【００１０】
また、上段にプレート上に洗剤容器を、下段のラックにスポンジやタワシといった食器洗い具を仕分けして収納できる構成であるため、食器洗い具を整理して収納できる。
【００１１】
また、食器洗い具はキッチン周囲の人目から視認しにくいシンク底部の低い部位に収納されるので、結果としてシンク周りの見栄えがよく、キッチンの機能美を維持できるようになる。
【００１２】
さらにまた、本発明によれば、シンク底面に食器洗い具が散乱することから開放されるので、シンクを広く使用でき、食器洗い作業の能率を上げることができる。
【００１３】
また、プレートの下面で、かつ、ラックに隣接する部位に、食器洗い具を懸垂するフック手段を取り付ける構成とすることもできる。
【００１４】
これによれば、ラックの隣にフック手段を取り付けているので、フックへの引っ掛け用の紐が設けられたスポンジやタワシをフック手段に懸垂することができ、水切りされた滴下水はシンク底面へ直接に落下するので、小物類の収納装置を落下水で汚すことがなく、シンク周りを衛生的に保持できるようになる。またフックにはゴミ袋やネット入り石けんなど、さまざまな濡れ物を懸垂するために利用することができる。
【００１５】
また、プレートを、ステンレス鋼、または光透過性を有する合成樹脂材で形成してもよい。プレートをステンレス鋼で形成すれば、剛性、耐久性および清掃性を高くすることができる。プレートを光透過性を有する合成樹脂材で形成すれば、ラックやフック手段に収納あるいは吊り下げられる食器洗い具は、プレートを透過する透過光により間接照明され、食器洗い具の出し入れ操作を円滑に行える。
【００１６】
また、ラックを索状部材によりカゴ枠体で形成し、該索状部材の一部を、プレート下面においてプレートの長手方向に添接させ、かつ、この添接させた部分に上下に蛇行する曲げ部を設けるようにしてもよい。
【００１７】
このような構成によれば、ラックの添接部に形成した索状部材により、プレートの曲げ剛性が高められる。これにより、プレート上に載置される洗剤などの荷重による曲げ荷重がプレートに作用しても、プレートのたわみ変形量を小さくでき、食器洗い具の収納を安定して行える。またラックの一部に上下に蛇行する曲げ部を設け、シンクの壁面に設けた留め具に曲げ部を掛止することにより、当該収納装置を安定して取り付けることができる。
【００１８】
また、フック手段を、少なくとも２個以上のフック部を有する索状部材で形成するのが好ましい。
【００１９】
係る構成とすることで、２個以上の食器洗い具をフック部に引っ掛けて吊り下げて収納できるので、シンク周りの見栄えを向上でき、シンクを広く使用できるようになる。
【００２０】
また、フック手段の索状部材の一部を、プレート下面においてプレートの長手方向に添接させ、かつ、この添接させた部分に上下に蛇行する曲げ部を設けるように構成してもよい。
【００２１】
フック手段を形成する索状部材をプレートの長手方向に添接させたことにより、上段の棚であるプレートのたわみ変形を抑制できるようになる。またフック手段の一部に上下に蛇行する曲げ部を設け、シンクの壁面に設けた留め具に曲げ部を掛止することにより、当該収納装置を安定して取り付けることができる。
【００２２】
また、小物類は、プレートに載置可能な洗剤容器、ラックに収納可能なスポンジ、およびフックに吊り下げ可能なタワシやスポンジであるのが好ましい。
【００２３】
これによれば、洗剤容器、スポンジ、タワシなどの小物類を仕分け整理した態様で小物類の収納装置に収納できるため、キッチンの機能美を高めながらシンクで食器洗い作業を能率的に行えるようになる。
【発明の効果】
【００２４】
本発明によれば、スポンジやタワシといった食器洗い具および洗剤容器（洗剤）を含めた小物類を、上記従来技術のようなポケット構造ではなく、プレート上に置くことができるので、洗剤容器の設置面積を広く確保でき、洗剤容器が取り易く置き易い。また、スポンジやタワシなどの食器洗い具の収納スペースが大きく、収納力が高く、仕分けして食器洗い具を能率よく収納できるので、シンクを広く使用でき、食器洗い作業の効率化を図れ、キッチンのシンク周り、ひいてはキッチン全体として見栄えや機能美を維持できる小物類の収納装置を得ることができる。
【発明を実施するための最良の形態】
【００２５】
次に、添付図面を参照して本発明による小物類の収納装置の実施形態を詳細に説明する。図中、本発明に直接関係のない要素は図示を省略する。同様の要素は同一の参照符号を付して表示する。なお、以下の実施形態に示す材料などは、発明の理解を容易とするための例示に過ぎず、特に断る場合を除き、本発明を限定するものではない。
【００２６】
図１は小物類の収納装置が適用されるキッチンの全体構成を背面側から視た状態を示す外観図、図２はキッチンを正面側から視た斜視図である。図１および図２に示すように、本実施形態の小物類の収納装置が適用されるキッチン１０の概要構成を説明すると、キッチン１０は、いわゆる対面式のオープンシステムキッチンであり、その天板２２はステンレス材が使用され、シンク１４が天板２２に一体成形により形成されている。なお、天板２２は合成樹脂素材を使用して形成される態様であってもよいのは言うまでもない。
【００２７】
天板２２には、コンロ１１、シンク１４および平坦面を成す調理スペース１６が設けられる。キッチン１０はコンロ１１が設置されているコンロキャビネット１２と、シンク１４およびシンク１４の近傍に設けた図示されない水栓（図３では符号１３を付して図示）が設置されているシンクキャビネット１５と、天板に形成した調理スペース１６が設けられていて食器洗い機等を収容可能なベースキャビネット１７との３つのキャビネットで構成されている。
【００２８】
図２に示されるように、キッチン１０はコンロ１１、シンク１４および調理スペース１６が隣接していて無駄なスペースを極力廃した構成となっている。
【００２９】
ツールコンテナ２０は、取っ手１８が取り付けられた引出し式の収納庫である。なお、ツールコンテナ２０の下には床面にほぼ接するフロアコンテナ２１が配置されている。
【００３０】
ツールコンテナ２０は、キッチン１０のシンク１４の下に配置されている。これはシンク１４にて用いられる調理器具や調味料を取出し易いからである。ツールコンテナ２０は他の位置に設けてもよく、例えば、調理スペース１６を設けたベースキャビネット１７内に設けるようにしてもよい。
【００３１】
ところで、天板２２近傍のシンク１４の開口周縁には、断面がほぼＬ字状を成す段差部１４ｂが形成され、そこに後述する収納装置２３の一構成要素であるプレート２４の外周縁が着座できるようになっている。これにより、収納装置２３がシンク１４の凹部１４ａに寄り添うように設けることができる。
【００３２】
次に、図３〜図６に示される本実施形態における収納装置２３の構成を説明する。図３は収納装置２３を設置したシンク周りの斜視図、図４は小物類の収納装置を斜め下面から視た状態を示す拡大斜視図、図５は小物類の収納装置を斜め上方から視た状態を示す斜視図、図６はラックにスポンジを収納した状態を説明する図である。
【００３３】
シンク１４はその奥まった部位に凹部１４ａが形成され、その凹部１４ａの側壁に寄り添うような態様で収納装置２３がシンク１４に設置される。収納装置２３は、上下二段の棚を有する構成を基本形態とし、上段の棚はステンレス鋼で形成した平板状のプレート２４で形成され、その上に洗剤容器２５が置くことができるようになっている。プレートをステンレス鋼で形成したことにより、剛性および耐食性が高いために耐久性が高く、また肌が細かいことから清掃性も高くすることができる。なお、プレートは適宜のカラーを有するアクリル樹脂などの合成樹脂素材を用いて形成され、また、透明あるいは半透明を有するように形成してもよい。また、プレート２４はシンク１４の凹部１４ａの平面視における形状に応じた形状に形成されるのは言うまでもない。
【００３４】
上記の下段の棚は、プレート２４の下方に吊り下げるようにして設けたラック２６で形成される。ラック２６を形成する上記索状部材は、例えば、金属素材で形成した芯金に合成樹脂製の被膜をコーティングして防錆処理したものを折曲げ加工して用いる。この索状部材により、左側枠部２６ａ、右側枠部２６ｂ、左右両側の枠部２６ａ、２６ｂを連結する添接部２６ｃ、および２本の底部２６ｄ（本数は２本に限定されない）より成るラック２６がカゴ枠体として形成される。また、添接部２６ｃには、上下に蛇行する曲げ部２６ｅが設けられ、シンクの壁面に設けた留め具（不図示）に収納装置２３を取り付け固定できるようになっている。なお、曲げ部２６ｅは一個所に設けたが、添接部２６ｃを複数個所に形成し、それぞれの添接部に曲げ部を形成するようにしてもよいのは言うまでもない。こうして、ラック２６の適宜個所をプレート２４下面に結合することにより、ラック２６はプレート２４に一体化される。
【００３５】
カゴ枠体として構成されるラック２６がプレート２４の下方に吊り下げられて一体化されると、ラック２６にはプレート２４との間で前面開放部２７（図６参照）が形成されるようになっている。これにより、図１で示す矢印Ａ方向へスポンジ２８を出し入れすることで、前面開放部２７からスポンジ２８をラック２６に収納できる。本実施形態の場合、２個のスポンジ２８がラック２６から出し入れして収納するが、その個数はこれに限定されるものではなく、また、ラック２６にはスポンジ２８ではなく、タワシのような食器洗い具を出し入れすることも可能である。また、上記の索状部材は金属素材でなく、合成樹脂製の素材で形成したものを用いてラックを形成することも勿論可能である。
【００３６】
他方、プレート２４の下面で、かつ、ラック２６に隣接する部位に、フック手段２９が取り付けられ、プレート２４と一体化される。フック手段２９も上記のラック２６に用いたと同様の索状部材で形成される。フック手段２９は一本の索状部材により、タワシ３０を懸垂する２個のフック部２９ａと、プレート２４の下面においてプレート２４の長手方向に添接する添接部２９ｂとが形成される。また、添接部２９ｂには上下に蛇行する曲げ部２９ｃが設けられ、シンクの壁面に設けた留め具３１に収納装置２３を取り付け固定できるようになっている。フック部２９ａの個数はこれに限定されないのは勿論である。フック部２９ａにタワシ３０（図５参照）が吊り下げることができるようになっている。勿論、フック部２９ａには、紐付のスポンジを懸垂することも可能である。
【００３７】
こうして、収納装置２３は、プレート２４とラック２６とで上下二段の棚を形成し、かつ、プレート２４下面のラック２６に隣接してフック手段２９を設けて一体化した。このため、図１に示すように、プレート２４の外周縁をシンク１４の段差部１４ｂに着座させることにより、収納装置２３をシンク１４の凹部１４ａに寄り添うように設置することができる。
【００３８】
食器洗いをしない状態では、洗剤容器２５はプレート２４に置き、スポンジ２８はラック２６に収納され、タワシ３０はフック手段２９のフック部２９ａに引っ掛けて吊り下げることで、小物類が収納装置２３の所定個所に収納される。食器洗いをするときは、ラック２６に収納されたスポンジ２８や、フック部２９ａからタワシ３０といった食器洗い具を取出し、これに洗剤を滴下し食器類を洗う。食器洗いを終えたスポンジ２８はラック２６へ収納し、タワシ３０はフック部２９ａへ吊り下げて収納する。
【００３９】
したがって、本実施形態に係る収納装置２３によれば、プレート２４がキッチン１０の長手方向に長い形状を有するため、洗剤容器２５の設置面積が広く取れる。
【００４０】
また、従来装置のように、ポケット構造のラックに洗剤容器を収納する構造と異なり、本実施形態では平坦なプレート２４上に置く構造であるため、洗剤容器２５を取りやすく、置き易い利点がある。
【００４１】
プレート２４下面側にラック２６やフック手段２９を配置したので、スポンジ２８やタワシ３０の収納スペースが大きく、それだけ収納力が高くなる利点もある。
【００４２】
さらに、プレート２４とラック２６とで形成される前面開放部２７（図６参照）は、プレート２４下方のシンク１４底部に近い位置にあるので、食器洗い具２８、３０の出し入れを行う手の動きは、従来のようなポケット構造のラックと違って、上から入れる動作ではなく、ほぼシンク底部に沿う方向（水平方向）での動作、換言すると、ラック２６の前面から図３の矢印Ａ方向へ出し入れする動作であるため、食器洗い時における食器洗い具の出し入れ動作は楽なものとなる。
【００４３】
また、係る手の動作により、視線を終始食器に落としたまま食器洗いを集中して行えるので、食器の破損、損傷を回避できる。
【００４４】
また、食器洗い具はキッチン周囲の人目から視認しにくいシンク底部の低い部位に収納されるので、結果としてシンク周りの見栄えがよく、キッチンの機能美を維持できるようになる。
【００４５】
また、シンク底面に食器洗い具が散乱することから開放されるので、シンクを広く使用でき、食器洗い作業の能率を上げることができる。
【００４６】
また、ラック２６やフック手段２９に収納されたタワシ３０やスポンジ２８の水切りを良好に維持できる。
【００４７】
また、ラックやフック手段に収納あるいは吊り下げられる食器洗い具は、プレートを透過する透過光により間接照明されるため、食器洗い具の出し入れ操作をスムーズに行える。
【００４８】
また、プレート２４はラック２６の添接部２６ｃおよびフック手段２９の添接部２９ｂで支えられるため、プレート２４の曲げ剛性が高められる。その結果、プレート上に載置される洗剤などによるプレート２４のたわみを抑制できる。
【００４９】
また、洗剤容器２５、スポンジ２８、タワシ３０などの小物類を仕分け整理した態様で収納装置２３に収納できるため、キッチン１０の機能美を高めながらシンク１４での食器洗い作業を能率的に行えるようになる利点もある。
【００５０】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５１】
上記実施形態におけるラック２６およびフック手段２９を形成する索状部材を、線状部材を使用したが、この代わりに断面扁平形状のものを使用してもよい。
【００５２】
また、ラック２６を形成するカゴ枠体は、上記のように索状部材を使用するのではなく、水切り機能を有する部材なら板状の部材を使用して形成することも可能である。
【００５３】
ラック２６は、一段構成に形成した場合について説明したが、上下に複数段の構造にしてスポンジ２８などを収納するようにしてもよい。
【００５４】
また、上記実施形態の収納装置２３は、シンク１４の段差部１４ｂに懸垂するようにして着脱自在に取り付ける形態とした場合について説明したが、この代わりに、キッチンのシンクの形態によっては収納装置２３そのものをシンク周りに適宜の吊り下げ部材を用いてシンク１４の側壁に寄り添うように取り付けるようにしてもよい。
【産業上の利用可能性】
【００５５】
本発明は、キッチンのシンクとして利用することができる。
【図面の簡単な説明】
【００５６】
【図１】本発明による実施形態における小物類の収納装置が適用されるキッチンの全体構成に係り、それを背面側から視た状態を示す外観図である。
【図２】上記のキッチンを正面側から視た斜視図である。
【図３】上記小物類の収納装置を設置したシンク周りの斜視図である。
【図４】上記小物類の収納装置を斜め下面から視た状態を示す拡大斜視図である。
【図５】上記小物類の収納装置を斜め上方から視た状態を示す説明図で、（ａ）はその外観斜視図、（ｂ）はスポンジやタワシを収納した状態を示す斜視図である。
【図６】ラックにスポンジを収納した状態を説明する図である。
【符号の説明】
【００５７】
１０   …キッチン
１１   …コンロ
１２   …コンロキャビネット
１３   …符号
１４   …シンク
１４ａ  …凹部
１４ｂ  …段差部
１５   …シンクキャビネット
１６   …調理スペース
１７   …ベースキャビネット
１８   …取っ手
２０   …ツールコンテナ
２１   …フロアコンテナ
２２   …天板
２３   …収納装置
２４   …プレート
２５   …洗剤容器
２６   …ラック
２６ａ  …左側枠部
２６ｂ  …右側枠部
２６ｃ  …添接部
２６ｄ  …底部
２６ｅ  …曲げ部
２７   …前面開放部
２８   …スポンジ
２９   …フック手段
２９ａ  …フック部
２９ｂ  …添接部
２９ｃ  …曲げ部
３０   …タワシ
３１   …留め具
【図１】
2009011394.tif 000003
【図２】
2009011394.tif 000004
【図３】
2009011394.tif 000005
【図４】
2009011394.tif 000006
【図５】
2009011394.tif 000007
【図６】
2009011394.tif 000008